(57)【要約】【課題】商品を照射するバックライトおよび白色背景とすることが不要であり、コンテンツの表示を鮮明に行うとともに、後部の背景も明るく鮮明に見ることができる光透過型ディスプレイ装置を提供すること。【解決手段】厚さ方向に光透過可能な光透過型ディスプレイ手段（１０１）と、光透過型ディスプレイ手段（１０１）の厚さ方向の少なくとも一方の側に配設されているとともに厚さ方向に自発光を照射可能な透明自発光手段（６０）とを有することを特徴とする。
2014010585.tif 000002
【特許請求の範囲】
【請求項１】
厚さ方向に光透過可能な光透過型ディスプレイ手段と、
前記光透過型ディスプレイ手段の厚さ方向の少なくとも一方の側に配設されているとともに厚さ方向に自発光を照射可能な透明自発光手段とを有する
ことを特徴とする光透過型ディスプレイ装置。
【請求項２】
前記光透過型ディスプレイ手段の厚さ方向の一方の側に前記透明自発光手段を配設し、他方の側に透明板材を配設した
ことを特徴とする請求項１に記載の光透過型ディスプレイ装置。
【請求項３】
前記光透過型ディスプレイ手段の厚さ方向の両側にそれぞれ透明自発光手段を配設するとともに、一方の透明自発光手段を前記光透過型ディスプレイ手段の面を覆う遮蔽位置と当該面を開放する開放位置との間を移動自在に形成し、
他方の前記透明自発光手段と前記光透過型ディスプレイ手段との間に冷却風を送風する冷却ファンを設けた
ことを特徴とする請求項１に記載の光透過型ディスプレイ装置。
【請求項４】
固定的に配設されている前記透明自発光手段は、前記光透過型ディスプレイ手段と別体または一体に形成されている
ことを特徴とする請求項１から請求項３のいずれか１項に記載の光透過型ディスプレイ装置。
【請求項５】
前記光透過型ディスプレイ手段と、これと別体に形成されている前記透明自発光手段との間に透明インク模様印刷導光板が配設されている
ことを特徴とする請求項４に記載の光透過型ディスプレイ装置。
【請求項６】
前記光透過型ディスプレイ手段は、半透明ディスプレイおよび透明有機ＥＬディスプレイのいずれかである
ことを特徴とする請求項１から請求項５のいずれか１項に記載の光透過型ディスプレイ装置。
【請求項７】
前記光透過型ディスプレイ手段と別体に形成されている前記透明自発光手段は、透明インク印刷導光板および透明液晶フィルムのいずれかである
ことを特徴とする請求項４から請求項６のいずれか１項に記載の光透過型ディスプレイ装置。
【請求項８】
前記光透過型ディスプレイ手段と一体に形成されている前記透明自発光手段は、前記透明自発光手段の表面に透明インクを直接印刷して形成されている
ことを特徴とする請求項４または請求項６に記載の光透過型ディスプレイ装置。
【請求項９】
前記光透過型ディスプレイ手段の厚さ方向に配置される面状の前記素材の少なくとも１基を複数配置するとともに、前記光透過型ディスプレイ手段の厚さ方向を基準とした三次元方向の少なくとも一方向に前記素材を移動自在に形成した
ことを特徴とする請求項１から請求項８のいずれか１項に記載の光透過型ディスプレイ装置。
【発明の詳細な説明】
【技術分野】
【０００１】
本発明は、光透過型ディスプレイ装置に係り、コンテンツの再生とコンテンツ越しに奥側を透視したディスプレイに好適な光透過型ディスプレイ装置に関する。
【背景技術】
【０００２】
近年の表示素子の発展に伴って種々のディスプレイ装置が開発されている。例えば、透明ディスプレイに文字や画像を表示させるとともに後ろの商品と重なって見えるようにしてディスプレイする装置が提案されている（例えば、特許文献１参照）。
【先行技術文献】
【特許文献】
【０００３】
【特許文献１】特開２００８−０８３５１０号公報
【発明の概要】
【発明が解決しようとする課題】
【０００４】
前記特許文献１に示すような従来例においては、透明ディスプレイ越しに見える後ろの商品や背景を明るく鮮明に見せるためには、商品を照射するバックライトを設ける必要があったり、後部の全体を白色背景とする必要があった。【０００５】
このような必要性を満たすために、従来においては、例えば、透明ディスプレイの後部の領域を白色の内壁面を有する箱で囲って商品を設置できるようにしたり、商品を照明できるようにしていた。【０００６】
そのために従来においては、商品をディスプレイする空間が、白色の箱内や、照明を必要とする等の制約があり、更にディスプレイ全体が圧迫感を感じるものであった。【０００７】
本発明はこれらの点に鑑みてなされたものであり、商品を照射するバックライトおよび白色背景とすることが不要であり、コンテンツの表示を鮮明に行うとともに、後部の背景も明るく鮮明に見ることのできる光透過型ディスプレイ装置を提供することを目的とする。
【課題を解決するための手段】
【０００８】
前記の課題を解決するために、本発明の第１の形態の光透過型ディスプレイ装置は、厚さ方向に光透過可能な光透過型ディスプレイ手段と、前記光透過型ディスプレイ手段の厚さ方向の少なくとも一方の側に配設されているとともに厚さ方向に自発光を照射可能な透明自発光手段とを有することを特徴とする。【０００９】
また、本発明の第２の形態の光透過型ディスプレイ装置は、第１の形態において、前記光透過型ディスプレイ手段の厚さ方向の一方の側に前記透明自発光手段を配設し、他方の側に透明板材を配設したことを特徴とする。
また、本発明の第３の形態の光透過型ディスプレイ装置は、第１の形態において、前記光透過型ディスプレイ手段の厚さ方向の両側にそれぞれ透明自発光手段を配設するとともに、一方の透明自発光手段を前記光透過型ディスプレイ手段の面を覆う遮蔽位置と当該面を開放する開放位置との間を移動自在に形成し、他方の前記透明自発光手段と前記光透過型ディスプレイ手段との間に冷却風を送風する冷却ファンを設けたことを特徴とする。【００１０】
また、本発明の第４の形態の光透過型ディスプレイ装置は、第１から第３のいずれかの形態において、固定的に配設されている前記透明自発光手段は、前記光透過型ディスプレイ手段と別体または一体に形成されていることを特徴とする。【００１１】
また、本発明の第５の形態の光透過型ディスプレイ装置は、第４の形態において、前記光透過型ディスプレイ手段と、これと別体に形成されている前記透明自発光手段との間に透明インク模様印刷導光板が配設されていることを特徴とする。【００１２】
また、本発明の第６の形態の光透過型ディスプレイ装置は、第１から第５のいずれかの形態において、前記光透過型ディスプレイ手段は、半透明ディスプレイおよび透明有機ＥＬディスプレイのいずれかであることを特徴とする。【００１３】
また、本発明の第７の形態の光透過型ディスプレイ装置は、第４から第６のいずれかの形態において、前記光透過型ディスプレイ手段と別体に形成されている前記透明自発光手段は、透明インク印刷導光板および透明液晶フィルムのいずれかであることを特徴とする。【００１４】
また、本発明の第８の形態の光透過型ディスプレイ装置は、第４または第６の形態において、前記光透過型ディスプレイ手段と一体に形成されている前記透明自発光手段は、前記透明自発光手段の表面に透明インクを直接印刷して形成されていることを特徴とする。【００１５】
また、本発明の第９の形態の光透過型ディスプレイ装置は、第１から第８のいずれかの形態において、前記光透過型ディスプレイ手段の厚さ方向に配置される面状の前記素材の少なくとも１基を複数配置するとともに、前記光透過型ディスプレイ手段の厚さ方向を基準とした三次元方向の少なくとも一方向に前記素材を移動自在に形成したことを特徴とする。
【発明の効果】
【００１６】
本発明はこのように形成されるので、商品を照射するバックライトおよび白色背景とすることが不要であり、コンテンツの表示を鮮明に行うとともに、後部の背景も明るく鮮明に見ることができる等の優れた効果を発揮する。
【図面の簡単な説明】
【００１７】
【図１】本発明の光透過型ディスプレイ装置の第１実施形態の組立状態を示す側面図
【図２】第１実施形態の作動状態における分解斜視図
【図３】第１実施形態の他の作動状態における分解斜視図
【図４】第１実施形態の作動状態におけるディスプレイ状態を示す正面図
【図５】第１実施形態の作動状態における他のディスプレイ状態を示す正面図
【図６】本発明の第２実施形態の組立状態を示す側面図
【図７】本発明の第２実施形態の作動状態における分解斜視図
【図８】本発明の第３実施形態の作動状態における分解斜視図
【図９】本発明の第４実施形態の作動状態における分解斜視図
【図１０】本発明の第５実施形態の組立状態を示す側面図
【図１１】第５実施形態の作動状態における分解斜視図
【図１２】本発明の第６実施形態の組立状態を示す側面図
【図１３】第６実施形態の作動状態における分解斜視図
【図１４】本発明の第７実施形態の組立状態を示す側面図
【図１５】第７実施形態の作動状態における分解斜視図
【図１６】本発明の第８実施形態の組立状態を示す側面図
【図１７】第８実施形態の作動状態における分解斜視図
【図１８】本発明の第９実施形態の組立状態を示す側面図
【図１９】第９実施形態の作動状態における分解斜視図
【図２０】本発明の第１０実施形態の組立状態を示す側面図
【図２１】第１０実施形態の作動状態における分解斜視図
【発明を実施するための形態】
【００１８】
以下、本発明を図１から図２１により説明する。
【００１９】
本発明の光透過型ディスプレイ装置は、厚さ方向に光透過可能な光透過型ディスプレイ手段と、前記光透過型ディスプレイ手段の厚さ方向の少なくとも一方の側に配設されているとともに厚さ方向に自発光を照射可能な透明自発光手段とを有することを基本構成としている。
【００２０】
図１から図５は本発明の第１実施形態を示している。
【００２１】
図１は組立状態の側面図であり、図２および図３は作動状態における分解斜視図、図４および図５は作動状態におけるディスプレイ状態を示す正面図である。
【００２２】
本実施形態の光透過型ディスプレイ装置においては、厚さ方向に光透過可能な光透過型ディスプレイ手段として、矩形の薄いパネル状の半透明ディスプレイ１０１を用いている。この半透明ディスプレイ１０１の厚さ方向の一方の側であって人の目線Ｋによって透視する奥側には、厚さ方向に自発光を照射可能な透明自発光手段として、矩形の薄いパネル状の透明インク印刷導光板６０を用いている。また、半透明ディスプレイ１０１の厚さ方向の他方の側であって人の目線Ｋによって透視する手前側には、透明板材３０として、矩形の薄いパネル状の透明ガラス板またはアクリル樹脂等の透明樹脂板を用いている。これらの半透明ディスプレイ１０１、透明インク印刷導光板６０および透明板材３０はそれぞれ同一大に別体に形成されており、図示しない矩形枠内に相互に積層する状態にして配設されている。それぞれの厚さはそれぞれの機能を発揮できる厚さに形成されている。半透明ディスプレイ１０１としては公知の構造のものを採用することができ、ＰＣ２２から送付される駆動信号に基づいて所定のコンテンツを再生できるように形成されている。半透明ディスプレイ１０１は半透明構造であるので、駆動信号がＯＮの場合には、半透明ディスプレイ１０１は目線Ｋの進行方向には透明であるが、逆方向には非透明であり例えば全面が白色に表示される。この逆方向は白色であることを利用して、光透過型ディスプレイ装置の奥側から前側が見えない使用状態が必要な箇所に設置するとよい。また、駆動信号がＯＦＦの場合には、半透明ディスプレイ１０１は目線Ｋの進行方向には全面が黒色に表示され、逆方向には非透明であり例えば全面が白色に表示される。透明インク印刷導光板６０としては、透明な板材に透明インクを印刷して形成されており、公知の構造のものを採用することができる。この透明インク印刷導光板６０の下端面に沿って長尺な光学レンズＬＥＤライト８０が設けられている。光学レンズＬＥＤライト８０はＰＣ２２から送付される駆動信号に基づいて発光制御される。透明インク印刷導光板６０は光学レンズＬＥＤライト８０からの光を受光すると、自発光して厚さ方向に光を照射することとなり、一方の目線Ｋの手前側に進む光は、半透明ディスプレイ１０１を奥側から照らして半透明ディスプレイ１０１に再生されるコンテンツの明度を向上させて明るくかつ鮮明なコンテンツ表示を可能とさせ、他方の目線Ｋの奥側に進む光は、背景や商品等の視物Ｇ（本実施形態においてはボトル）を照らして背景および視物Ｇの明度を向上させて明るくかつ鮮明な背景および視物Ｇの表示を可能とさせる。透明板材３０としては、光透過型ディスプレイ装置の最表面側に配置されて装置全体を保護する強度保持の役割を果たしている。この透明板材３０としては、新たに設けるガラス板であってもよく、また、例えばショーウインドーのような既設のガラス板を採用してもよい。
【００２３】
次に、本実施形態の作用を説明する。
【００２４】
起動前においては、ＯＦＦ状態の半透明ディスプレイ１０１が黒色であるので、光透過型ディスプレイ装置の前面全体が黒色になっている。
【００２５】
図２に示すように、ＰＣ２２を起動して半透明ディスプレイ１０１および透明インク印刷導光板６０に駆動信号を送ると、半透明ディスプレイ１０１に再生されたコンテンツおよび透明インク印刷導光板６０より奥側の背景や視物Ｇを視認することができる。
【００２６】
更に説明すると、透明インク印刷導光板６０は光学レンズＬＥＤライト８０からの光を受光して自発光して厚さ方向に光を照射し、一方の目線Ｋの手前側に進む光が、半透明ディスプレイ１０１を奥側から照らして半透明ディスプレイ１０１に再生されるコンテンツの明度を向上させて明るくかつ鮮明なコンテンツ表示を可能とさせ、他方の目線Ｋの奥側に進む光が、背景や商品等の視物Ｇを照らして背景および視物Ｇの明度を向上させて明るくかつ鮮明な背景および視物Ｇの表示を可能とさせる。
【００２７】
ここで半透明ディスプレイ１０１に全面が透明なコンテンツ（コンテンツなしの状態と同じ）を表示させると、図４（Ａ）に示すように、透明板材３０、半透明ディスプレイ１０１および透明インク印刷導光板６０を順に通して、光透過型ディスプレイ装置の奥側の視物Ｇを明るくかつ鮮明に視認することができる。
【００２８】
これに対して、図４（Ｂ）に示すように、本発明の透明インク印刷導光板６０を備えていない従来例においては、半透明ディスプレイ１０１がある程度の暗さを有しているために、視物Ｇが暗く視認されてしまう。
【００２９】
本発明の光透過型ディスプレイ装置において視物Ｇを明るくかつ鮮明に視認することができるのは、自発光している透明インク印刷導光板６０によって半透明ディスプレイ１０１および背景を含む視物Ｇを明るく照射していることによる。
【００３０】
また、図５（Ａ）に示すように、半透明ディスプレイ１０１に例えば、「ＰＲＰ」という所望のコンテンツを表示させると、透明板材３０、半透明ディスプレイ１０１および透明インク印刷導光板６０を順に通して、コンテンツ「ＰＲＰ」と光透過型ディスプレイ装置の奥側の視物Ｇを重ねた状態にして明るくかつ鮮明に視認することができる。
【００３１】
これに対して、図５（Ｂ）に示すように、本発明の透明インク印刷導光板６０を備えていない従来例においては、半透明ディスプレイ１０１がある程度の暗さを有しているために、コンテンツ「ＰＲＰ」と視物Ｇが暗く視認されてしまう。
【００３２】
本発明の光透過型ディスプレイ装置においてコンテンツ「ＰＲＰ」と視物Ｇを明るくかつ鮮明に視認することができるのは、自発光している透明インク印刷導光板６０によって半透明ディスプレイ１０１および背景を含む視物Ｇを明るく照射していることによる。
【００３３】
また、図３に示すように、ＰＣ２２によって光学レンズＬＥＤライト８０を発光させた状態において、半透明ディスプレイ１０１に黒色のコンテンツを表示させると、視線Ｋは黒色の半透明ディスプレイ１０１に阻まれて視物Ｇが視認できない状態に維持される。
【００３４】
図６および図７は本発明の第２実施形態を示している。
【００３５】
図６は組立状態の側面図であり、図７は作動状態における分解斜視図である。
【００３６】
第２実施形態において第１実施形態と同一部分には同一符号を付してあり、第１実施形態と相違する点を主として説明する。
【００３７】
本実施形態においては、第１実施形態の半透明ディスプレイ１０１と透明インク印刷導光板６０の間に透明インク模様印刷導光板７０を介装して積層したものである。その他は第１実施形態と同様に形成されている。
【００３８】
透明インク模様印刷導光板７０としては、透明インク印刷導光板６０にロゴや説明文等の所望の常時表示情報を印刷した構造のものを採用することができる。この透明インク模様印刷導光板７０の下端面に沿って長尺な光学レンズＬＥＤライト１００（光学レンズＬＥＤライト８０と同等物）が設けられている。光学レンズＬＥＤライト１００はＰＣ２２から送付される駆動信号に基づいて発光制御される。透明インク模様印刷導光板７０は光学レンズＬＥＤライト１００からの光を受光すると、自発光して厚さ方向に光を照射することとなり、一方の目線Ｋの手前側に進む光は、半透明ディスプレイ１０１を奥側から照らして半透明ディスプレイ１０１に再生されるコンテンツの明度を向上させて明るくかつ鮮明なコンテンツ表示を可能とさせ、他方の目線Ｋの奥側に進む光は、透明インク印刷導光板６０並びに背景や商品等の視物Ｇを照らして、背景および視物Ｇの明度を向上させて明るくかつ鮮明な背景および視物Ｇの表示を可能とさせる。本実施形態において半透明ディスプレイ１０１並びに背景および視物Ｇは透明インク印刷導光板６０に加えて透明インク模様印刷導光板７０から照射される光をうけるので、より明るく照らされることとなる。
【００３９】
次に、本実施形態の作用を説明する。
【００４０】
図７に示すように、起動状態において、ＰＣ２２によって半透明ディスプレイ１０１を起動し、光学レンズＬＥＤライト１００および光学レンズＬＥＤライト８０を共に発光させて透明インク模様印刷導光板７０および透明インク印刷導光板６０を自発光状態にすると、図２に示す表示状態に加えて更に透明インク模様印刷導光板７０に印刷されているロゴ等の常時表示情報が重ねて表示される。
【００４１】
これにより本実施形態をロゴ等の常時表示情報を表示したディスプレイを提供することができる。
【００４２】
図８は本発明の第３実施形態を示している。
【００４３】
図８は図２および図７と同様の作動状態における分解斜視図であり、第３実施形態において第１実施形態と同一部分には同一符号を付してあり、第１実施形態と相違する点を主として説明する。
【００４４】
本実施形態においては、第１実施形態の厚さ方向に自発光を照射可能な透明自発光手段としての透明インク印刷導光板６０に代えて透明液晶フィルム４０を配設したものである。その他は第１実施形態と同様に形成されている。
【００４５】
透明液晶フィルム４０としては、公知の構造のものを採用することができる。この透明液晶フィルム４０は光学レンズＬＥＤライト８０からの光を受光すると、自発光して厚さ方向に光を照射することとなり、一方の目線Ｋの手前側に進む光は、半透明ディスプレイ１０１を奥側から照らして半透明ディスプレイ１０１に再生されるコンテンツの明度を向上させて明るくかつ鮮明なコンテンツ表示を可能とさせ、他方の目線Ｋの奥側に進む光は、背景および視物Ｇの明度を向上させて明るくかつ鮮明な背景および視物Ｇの表示を可能とさせる。
【００４６】
本実施形態においては、前記第１実施形態と同様に作用して、ディスプレイを提供することができる。
【００４７】
図９は本発明の第４実施形態を示している。
【００４８】
図９は図２、図７および図８と同様の作動状態における分解斜視図であり、第４実施形態において第１実施形態と同一部分には同一符号を付してあり、第１実施形態と相違する点を主として説明する。
【００４９】
本実施形態においては、第１実施形態の厚さ方向に自発光を照射可能な透明自発光手段としての透明インク印刷導光板６０に代えて透明インクを半透明ディスプレイ１０１の奥側に直接印刷した透明インク層１０２を一体的に形成したものである。その他は第１実施形態と同様に形成されている。
【００５０】
透明インク層１０２としては、公知の透明インクを塗布したインク層を採用することができる。この透明インク層１０２には光学レンズＬＥＤライト８０からの光が奥側から全面に照射されるように形成されている。この透明インク層１０２は光学レンズＬＥＤライト８０からの照射光を受光すると、自発光して厚さ方向に光を照射することとなり、一方の目線Ｋの手前側に進む光は、半透明ディスプレイ１０１を奥側から照らして半透明ディスプレイ１０１に再生されるコンテンツの明度を向上させて明るくかつ鮮明なコンテンツ表示を可能とさせ、他方の目線Ｋの奥側に進む光は、背景および視物Ｇの明度を向上させて明るくかつ鮮明な背景および視物Ｇの表示を可能とさせる。
【００５１】
本実施形態においては、前記第１実施形態と同様に作用して、ディスプレイを提供することができる。
【００５２】
図１０および図１１は本発明の第５実施形態を示している。
【００５３】
図１０は組立状態の側面図であり、図１１は図２と同様な作動状態における分解斜視図であり、第５実施形態において第１実施形態と同一部分には同一符号を付してあり、第１実施形態と相違する点を主として説明する。
【００５４】
本実施形態の光透過型ディスプレイ装置においては、半透明ディスプレイ１０１と透明インク印刷導光板６０とを別体で離間して配設し、双方の間に冷却ファン９０によって冷却風を送風できるようにしている。更に、目線Ｋの手前側に同じく透明インク印刷導光板５０を半透明ディスプレイ１０１と別体で離間して配設している。この透明インク印刷導光板５０の下端面に沿って長尺な光学レンズＬＥＤライト１００が設けられている。光学レンズＬＥＤライト１００はＰＣ２２から送付される駆動信号に基づいて発光制御される。透明インク印刷導光板５０は光学レンズＬＥＤライト１００からの光を受光すると、自発光して厚さ方向に光を照射することとなり、一方の目線Ｋの手前側に進む光は、装置の前面側を奥側から照らし、他方の目線Ｋの奥側に進む光は半透明ディスプレイ１０１を照らして半透明ディスプレイ１０１の前面を照明する。また、この透明インク印刷導光板５０は上下に移動自在に形成されており、半透明ディスプレイ１０１の前面を覆う状態の遮蔽位置と開放する状態の開放位置とを切替自在に形成されている。その他は第１実施形態と同様に形成されている。
【００５５】
次に、本実施形態の作用を説明する。
【００５６】
図１０および図１１に示すように、透明インク印刷導光板５０を上に上昇させて半透明ディスプレイ１０１の前面を開放状態とすると、図２に示す場合と同様のディスプレイを実行することができる。この場合、冷却ファン９０を稼働させると装置全体特に、半透明ディスプレイ１０１および透明インク印刷導光板６０を冷却させて、装置全体の過熱を防止することができる。
【００５７】
透明インク印刷導光板５０を下に下降させて半透明ディスプレイ１０１の前面を覆うと、ディスプレイを強制的に遮断することができる。
【００５８】
透明インク印刷導光板５０は、受光すると自発光するため、下に下降させてＯＮにすると、目線Ｋから視物Ｇが明確に見えない状態とすることができる。
【００５９】
図１２および図１３は本発明の第６実施形態を示している。
【００６０】
図１２は組立状態の側面図であり、図１３は図１１と同様な作動状態における分解斜視図であり、第６実施形態において第５実施形態と同一部分には同一符号を付してあり、第５実施形態と相違する点を主として説明する。
【００６１】
本実施形態の光透過型ディスプレイ装置においては、第５実施形態における双方の透明インク印刷導光板５０、６０の役割を逆転させたものである。即ち、透明インク印刷導光板５０を不動状態にして半透明ディスプレイ１０１との間に冷却ファン９０によって冷却風を送風できるようにして、透明インク印刷導光板６０を上下動自在に配設している。その他は第５実施形態と同様に形成されている。
【００６２】
次に、本実施形態の作用を説明する。
【００６３】
図１２および図１３に示すように、透明インク印刷導光板６０を上に上昇させて半透明ディスプレイ１０１の前面を開放状態とすると、図２に示す場合と同様のディスプレイを実行することができる。この場合、冷却ファン９０を稼働させると装置全体特に、半透明ディスプレイ１０１および透明インク印刷導光板５０を冷却させて、装置全体の過熱を防止することができる。
【００６４】
透明インク印刷導光板６０を下に下降させて半透明ディスプレイ１０１の前面を覆うと、ディスプレイを強制的に遮断することができる。
【００６５】
透明インク印刷導光板６０は、受光すると自発光するため、下に下降させてＯＮにすると、目線Ｋから視物Ｇが明確に見えない状態とすることができる。
【００６６】
図１４よび図１５は本発明の第７施形態を示している。
【００６７】
図１４は組立状態の側面図であり、図１５は図１１と同様な作動状態における分解斜視図であり、第７実施形態において第５実施形態と同一部分には同一符号を付してあり、第５実施形態と相違する点を主として説明する。
【００６８】
本実施形態の光透過型ディスプレイ装置においては、第５実施形態における双方の透明インク印刷導光板５０、６０をそれぞれ液晶透明フィルム４０、２０に代えたものである。その他は第５実施形態と同様に形成されている。
【００６９】
図１４および図１５に示すように、液晶透明フィルム２０を上に上昇させて半透明ディスプレイ１０１の前面を開放状態とすると、図２に示す場合と同様のディスプレイを実行することができる。この場合、冷却ファン９０を稼働させると装置全体特に、半透明ディスプレイ１０１および液晶透明フィルム４０を冷却させて、装置全体の過熱を防止することができる。
【００７０】
液晶透明フィルム２０を下に下降させて半透明ディスプレイ１０１の前面を覆うと、ディスプレイを強制的に遮断することができる。
【００７１】
液晶透明フィルム２０は、受光すると自発光するため、下に下降させてＯＮにすると、目線Ｋから視物Ｇが明確に見えない状態とすることができる。
【００７２】
図１６および図１７は本発明の第８実施形態を示している。
【００７３】
図１６は組立状態の側面図であり、図１７は図１１と同様な作動状態における分解斜視図であり、第８実施形態において第７実施形態と同一部分には同一符号を付してあり、第７実施形態と相違する点を主として説明する。
【００７４】
本実施形態の光透過型ディスプレイ装置においては、第７実施形態における双方の液晶透明フィルム４０、２０の役割を逆転させたものである。即ち、液晶透明フィルム２０を不動状態にして半透明ディスプレイ１０１との間に冷却ファン９０によって冷却風を送風できるようにして、液晶透明フィルム４０を上下動自在に配設している。その他は第６実施形態と同様に形成されている。
【００７５】
次に、本実施形態の作用を説明する。
【００７６】
図１６および図１７に示すように、液晶透明フィルム４０を上に上昇させて半透明ディスプレイ１０１の前面を開放状態とすると、図２に示す場合と同様のディスプレイを実行することができる。この場合、冷却ファン９０を稼働させると装置全体特に、半透明ディスプレイ１０１および液晶透明フィルム２０を冷却させて、装置全体の過熱を防止することができる。
【００７７】
液晶透明フィルム４０を下に下降させて半透明ディスプレイ１０１の前面を覆うと、ディスプレイを強制的に遮断することができる。
【００７８】
液晶透明フィルム４０は、受光すると自発光するため、下に下降させてＯＮにすると、目線Ｋから視物Ｇが明確に見えない状態とすることができる。
【００７９】
図１８および図１９は本発明の第９実施形態を示している。
【００８０】
図１８は組立状態の側面図であり、図１９は図１１と同様な作動状態における分解斜視図であり、第９実施形態において第２実施形態と同一部分には同一符号を付してあり、第２実施形態と相違する点を主として説明する。
【００８１】
第９実施形態は第２実施形態における構成各部を複数設けるとともに、必要に応じて構成各部を上下方向、左右方向および前後方向（半透明ディスプレイの厚さ方向を基準とする）からなる三次元方向の少なくとも一方向に移動自在に形成したものである。
【００８２】
本実施形態においては、第２実施形態における１基の半透明ディスプレイ１０１を左右前後に分けた２基の半透明ディスプレイ１０１ａ、１０１ｂ（左右２基であってもよい）に代えるとともに、各半透明ディスプレイ１０１ａ、１０１ｂをそれぞれ上下方向、左右方向および前後方向（各矢印参照）に移動自在に配設し、更に第２実施形態における１基の透明インク模様印刷導光板７０を前後２基の透明インク模様印刷導光板７０ａ、７０ｂに代えるとともに、各透明インク模様印刷導光板７０ａ、７０ｂをそれぞれ上下方向または左右方向（各矢印参照）に移動自在に配設したものである。各半透明ディスプレイ１０１ａ、１０１ｂはＰＣ２２から駆動信号が送られるように形成されている。また、各透明インク模様印刷導光板７０ａ、７０ｂは下端面に沿って長尺な光学レンズＬＥＤライト１００ａ、１００ｂが設けられている。その他は第２実施形態と同様に形成されている。
【００８３】
次に、本実施形態の作用を説明する。
【００８４】
図１９に示すように、起動状態において、ＰＣ２２によって両半透明ディスプレイ１０１ａ、１０１ｂを起動し、両光学レンズＬＥＤライト１００ａ、１００ｂおよび光学レンズＬＥＤライト８０を共に発光させて両透明インク模様印刷導光板７０ａ、７０ｂおよび透明インク印刷導光板６０を自発光状態にすると、図７に示す表示状態に加えて更に両透明インク模様印刷導光板７０ａ、７０ｂに印刷されている表示目的に応じて内容の種々の表示情報が重ねて表示されるとともに、両半透明ディスプレイ１０１ａ、１０１ｂを用いて照明を明るくしたり、図５（Ａ）に示す「ＰＲＰ」と「ＳＰＡＣＥ」等のコンテンツを表示することができる。これにより視物Ｇを種々の情報と合わせて表示させることができる。
【００８５】
これらの半透明ディスプレイ１０１ａ、１０１ｂおよび透明インク模様印刷導光板７０ａ、７０ｂを前後に移動させて配置位置を変えることにより、表示されるコンテンツの奥行きを自在に変更することができる。これらの半透明ディスプレイ１０１ａ、１０１ｂおよび透明インク模様印刷導光板７０ａ、７０ｂを上下および左右に移動させて配置位置を変えることにより、目線Ｋの外側に出したり内側に入れたりすることができ、表示されるコンテンツの種類を表示目的に応じて選択することができる。
【００８６】
このように構成各部を複数設けて更に所定方向に移動自在に設けることにより多種多様な情報の表示方法を選択することができる。なお、前記構成各部とは第１実施形態から第９実施形態において目線Ｋ上に配置される視物Ｇを除く全部の面状の素材である。
【００８７】
図２０および図２１は本発明の第１０実施形態を示している。
【００８８】
図２０は組立状態の側面図であり、図２１は図１９と同様な作動状態における分解斜視図である。
【００８９】
第１０実施形態は視物Ｇを光透過型ディスプレイ手段と透明自発光手段との間に配置したものである。
【００９０】
本実施形態においては、光透過型ディスプレイ手段として１基の半透明ディスプレイ１０１若しくは左右に分けた２基の半透明ディスプレイ１０１ａ、１０１ｂを用いている。また、透明自発光手段としては、高輝度ディスプレイ１５を用いている。高輝度ディスプレイ１５としては公知のものを用いることができ、ＰＣ２２による通電によりＯＮとされると自発光し、ＯＦＦとされると黒色になる。この高輝度ディスプレイ１５の半透明ディスプレイ１０１ａ、１０１ｂ側の面には公知のモアレ防止フィルム１０３が被膜されている。そして半透明ディスプレイ１０１ａ、１０１ｂは、それぞれ左右方向および前後方向（各矢印参照）に移動自在に配設されている。
【００９１】
次に、本実施形態の作用を説明する。
【００９２】
図２０および図２１に示すように、起動状態において、ＰＣ２２によって両半透明ディスプレイ１０１ａ、１０１ｂおよび高輝度ディスプレイ１５を起動し、両半透明ディスプレイ１０１ａ、１０１ｂおよび高輝度ディスプレイ１５を自発光状態にすると、視物Ｇが両半透明ディスプレイ１０１ａ、１０１ｂおよび高輝度ディスプレイ１５によって明るく照射されて両半透明ディスプレイ１０１ａ、１０１ｂ越しに目線Ｋ側から見えるように表示される。この時、これらの両半透明ディスプレイ１０１ａ、１０１ｂを前後に移動させて高輝度ディスプレイ１５との距離を変更すると、表示されるコンテンツの奥行きを自在に変更することができる。
【００９３】
高輝度ディスプレイ１５に対する通電を停止すると、高輝度ディスプレイ１５が黒色に変化するので、視物Ｇは両半透明ディスプレイ１０１ａ、１０１ｂの自発光によって明るく照射され、更に両半透明ディスプレイ１０１ａ、１０１ｂ越しに後ろ側の黒色の高輝度ディスプレイ１５の前に浮き出て見えるように表示される。本実施形態により、コンテンツの表示方法の種類が更に他種類とされ、表示コンセプトに応じた選択肢が増加される。
【００９４】
このように本発明の各実施形態は構成され、機能する。
【００９５】
従って、本発明装置は、既存のガラスにも設置することができ、しかも、従来必要とされたバックライトを不要とした透明ディスプレイとして用いることができる。
【００９６】
また、タッチ操作及び光の遮断効果による、保安性をもつガラスとして使用することができるため、施設及び自動車、電車、航空機等の移動手段分野のディスプレイとして使用することができる。
【００９７】
なお、本発明は前記実施形態に限定されるものではなく、必要に応じて変更することができるものである。
【００９８】
例えば、厚さ方向に光透過可能な光透過型ディスプレイ手段として、矩形の薄いパネル状の半透明ディスプレイ１０１を用いているが、透明有機ＥＬディスプレイを用いてもよい。この透明有機ＥＬディスプレイにおいては、厚さ方向の両方向より透過して視認できるので、前記第５実施形態から第１０実施形態において半透明ディスプレイ１０１に代えて透明有機ＥＬディスプレイを用いると、目線を逆転させた両方向よりディスプレイすることができる。具体的には、上下動自在な各透明インク印刷導光板４０、６０、液晶透明フィルム４０、２０を下に下降させて対応する光学レンズＬＥＤライト８０、１００をＯＮにすると、目線Ｋの手前側が照明されるので、例えば手前側に視物Ｇを設置して装置の奥側から手前側の目線よるに視物Ｇおよび背景を視認するディスプレイを提供することができる。また、モアレ防止フィルム（図示せず）を構成各部の目線Ｋの方向または逆方向の表面に貼り付けるようにして設けてもよい。
【００９９】
また、前記各実施形態においては各構成を矩形の平板のパネル形状としたが、断面が曲面形状であったり、全体か可撓性を備えた屈曲自在なものとすることもできる。また、構成各部の大きさや、厚さ、形状等はディスプレイの目的に応じて適宜変更するとよい。
【符号の説明】
【０１００】
２０、４０  透明液晶フィルム（透明自発光手段）
２２  ＰＣ
３０  透明板材
５０、６０  透明インク印刷導光板（透明自発光手段）
７０  透明インク模様印刷導光版（透明自発光手段）
８０、１００  光学レンズLEDライト
９０  冷却ファン
１０１  半透明ディスプレイまたは透明有機EL（光透過型ディスプレイ手段）
１０２  透明インク層（透明自発光手段）
Ｋ  人の目線
Ｇ  視物
【図１】
2014010585.tif 000003
【図２】
2014010585.tif 000004
【図３】
2014010585.tif 000005
【図４】
2014010585.tif 000006
【図５】
2014010585.tif 000007
【図６】
2014010585.tif 000008
【図７】
2014010585.tif 000009
【図８】
2014010585.tif 000010
【図９】
2014010585.tif 000011
【図１０】
2014010585.tif 000012
【図１１】
2014010585.tif 000013
【図１２】
2014010585.tif 000014
【図１３】
2014010585.tif 000015
【図１４】
2014010585.tif 000016
【図１５】
2014010585.tif 000017
【図１６】
2014010585.tif 000018
【図１７】
2014010585.tif 000019
【図１８】
2014010585.tif 000020
【図１９】
2014010585.tif 000021
【図２０】
2014010585.tif 000022
【図２１】
2014010585.tif 000023
【国際調査報告】
2014010585.tif 000024
2014010585.tif 000025
2014010585.tif 000026
2014010585.tif 000027